(57)【要約】  【課題】システムキッチンにおいてシンク下を有効に活用する。  【解決手段】システムキッチンにおいて外枠の上部にシンクを配置するとき、最下段の収納スペースに冷蔵庫を設置する場合、その構成は収納部１５とその左右どちらかに機械室１６を配置し、収納部１５前方に断熱ドア１７を配置し、断熱ドア１７の前面に化粧パネル１４Ａを配置し、化粧パネル１４Ａが冷却ユニットの吸込み口まで配置され、冷却ユニットの吸込み口には化粧パネル１４Ａに吸込みグリル１４Ｂを配置し、冷却ユニットの吸込み口と化粧パネル１４Ａに配置した吸込みグリル１４Ｂの間に埃除去用のフィルター２２を配置したことにより意匠の異なるシステムキッチンに対応することができる。【選択図】図４
2007040677.tif 000002
【特許請求の範囲】
【請求項１】
システムキッチンの最下段の引き出しスペースに設置される冷蔵庫であって、冷却ユニットの左右どちらか一方に前面を開口した収納部と前記収納部の前部に断熱ドアを配置し、前記断熱ドアの前面に化粧パネルを配置し、前記化粧パネルが前記冷却ユニットの吸込み口まで配置され、前記冷却ユニットの吸込み口には前記化粧パネルに吸込みグリルを配置し、前記冷却ユニットの吸込み口と前記化粧パネルに配置した吸込みグリルの間に埃除去用のフィルターを配置したことを特徴とするシステムキッチン組み込み式冷蔵庫。
【請求項２】
化粧パネルに配置した吸込みグリルの後方にあって、フィルターに当接する少なくとも一つ以上の突起を前記吸込みグリルに配置したことを特徴とする請求項１に記載のシステムキッチン組み込み式冷蔵庫。
【発明の詳細な説明】
【技術分野】
【０００１】
本発明はシステムキッチンの一区画の下部空間に収納できるよう構成した冷蔵庫の構成に関するものである。
【背景技術】
【０００２】
従来システムキッチン等に収納される機器としては、電気式レンジオーブン・テーブル、ガス式オーブン・テーブル、食器洗い乾燥機、生ごみ処理機等が主なものである。特に最近は食器洗い乾燥機でも、ボックス状の収納部が引き出し式であるものが主流となり、収納部についても、上段から下段まで引き出し式の収納部となっている。
【０００３】
しかし、その収納部の中でもシンク下については、シンク用の給排水配管があり、例えば、その部分については、他の引き出し収納部より奥行きが狭い空間となっている。システムキッチンの他の区画には保冷庫を設置している例はある（特許文献１参照）。
【０００４】
図６は、特許文献１に記載されたシステムキッチン用の保冷庫を示すものである。図６に示すように、台所収納体の組付け空間１に組み込まれる外ケース２に出し入れされる容器状の収納体３と，ペルチェ素子４、送風ファン５、及び熱交換器６等で構成し、容器状の収納体を周囲温度より低い温度にした保冷庫をシステムキッチンの収納部の一部に配設することで、食品の変質や味落ちを防止できる。また保冷庫の左右に熱交換器用の空気導入経路７と排気経路８を配設することでシステムキッチンの収納部に収まった状態でも吸排気スペースを確保できる。
【特許文献１】特開２００３−１６１５６５号公報
【発明の開示】
【発明が解決しようとする課題】
【０００５】
しかしながら、上記従来構成では、シンク下に設置した場合、奥側にシンク用の給排水管がある為、冷却ユニットを収納空間の奥側に設けると奥行きのない収納部となり、また化粧パネルの意匠が異なる各種システムキッチン用に製作しなければならない課題を有していた。
【０００６】
本発明は、上記従来の課題を解決するもので、システムキッチンのシンク下部の、奥側に給排水管がある空間に収納でき、意匠が異なる各種システムキッチンに対応した冷蔵庫を提供することを目的とする。
【課題を解決するための手段】
【０００７】
上記従来の課題を解決するために、本発明の冷蔵庫は、システムキッチンの最下段の引き出しスペースに設置される冷蔵庫であって、冷却ユニットの左右どちらか一方に前面を開口した収納部と前記収納部の前部に断熱ドアを配置し、前記断熱ドアの前面に化粧パネルを配置し、前記化粧パネルが前記冷却ユニットの吸込み口まで配置され、前記冷却ユニットの吸込み口には前記化粧パネルに吸込みグリルを配置し、前記冷却ユニットの吸込み口と前記化粧パネルに配置した吸込みグリルの間に埃除去用のフィルターを配置し、前記吸込みグリルにフィルターと当接する突起を配置したものである。
【０００８】
これによって、システムキッチンの奥面に給排水配管のある最下段の空間においても奥行き方向の収納スペースを確保できる。
【発明の効果】
【０００９】
本発明の冷蔵庫は、システムキッチン内の限られた空間において、システムキッチンの枠内に簡単にビルトイン設置でき、また奥行き方向の収納量を確保することができる。
【００１０】
又、化粧パネルを交換可能にしたことで意匠が異なる各種システムキッチン用に対応することが出来、フィルター清掃の簡易メンテナンスとすることが出来る。
【発明を実施するための最良の形態】
【００１１】
請求項１に記載の発明は、システムキッチンの最下段の引き出しスペースに設置される冷蔵庫であって、冷却ユニットの左右どちらか一方に前面を開口した収納部と前記収納部の前部に断熱ドアを配置し、前記断熱ドアの前面に化粧パネルを配置し、前記化粧パネルが前記冷却ユニットの吸込み口まで配置され、前記冷却ユニットの吸込み口には前記化粧パネルに吸込みグリルを配置し、前記冷却ユニットの吸込み口と前記化粧パネルに配置した吸込みグリルの間に埃除去用のフィルターを配置したことで意匠が異なる各種システムキッチンに全体の意匠ラインを分割することなく対応したものである。
【００１２】
請求項２に記載の発明は、請求項１に記載の発明において、化粧パネルに配置した吸込みグリルの後方にあって、フィルターに当接する少なくとも一つ以上の突起を前記吸込みグリルに配置したことで化粧パネルを開閉するたびにフィルターの埃溜りをなくしフィルター清掃の期間をより長くした簡易メンテナンスを実現できるものである。
【００１３】
以下、本発明の実施の形態について、図面を参照しながら説明する。なお、実施の形態によってこの発明が限定されるものではない。
【００１４】
（実施の形態１）
図１は本発明の実施の形態１におけるシステムキッチン組立時のシステムキッチン組み込み式冷蔵庫の斜視図であり、システムキッチンは奥行き・幅・高さなどで様々な種類があり、調理などをするワークトップ９はシステムキッチンの外枠１０の上部に構成されており、ワークトップにはシンク１１、その下に引き出し収納スペース１２、その下に本発明のシステムキッチン組み込み式冷蔵庫１３で構成されている。システムキッチン組み込み式冷蔵庫の前面には、化粧パネル１４Ａ、吸込みグリル１４Ｂが構成されている。このような構成をすることにより、システムキッチンの外観意匠を損なわずにシステムキッチン組み込み式冷蔵庫１３を組み込むことができる。
【００１５】
図２は同実施の形態のシステムキッチン組み込み式冷蔵庫を前面に引き出したときの斜視図であり、システムキッチン組み込み式冷蔵庫１３は大きくは収納部１５、機械室１６で構成されている。収納部１５の前面には断熱ドア１７があり断熱ドア１７にはシステムキッチンの外観意匠を統一するために化粧パネル１４Ａが取り付けられている。機械室１６の前面には化粧パネル１４Ａに吸込みグリル１４Ｂが取り付けられている。
【００１６】
図３は同実施の形態のシステムキッチン組み込み式冷蔵庫の機械室の斜視図であり、冷却ユニット１８の放熱器１９の前方には埃除去用のフィルター２２が設置されており、このフィルター２２は放熱器１９、ファンモータ２０、電源制御基板２１への埃，油分の付着を防ぐ役割をしている。フィルター２２の後方には、スイッチ２３が設置されており冬季、長期外出等冷蔵庫を使用しない場合はこのスイッチ２３でシステムキッチン組み込み式冷蔵庫１３を停止させることができる。
【００１７】
図４は同実施の形態のシステムキッチン組み込み式冷蔵庫の収納部前面の分解斜視図であり、断熱ドア１７の前面に化粧パネル１４Ａを配置し、化粧パネル１４Ａが機械室１６の吸込み口まで配置され、機械室１６の吸込み口には化粧パネル１４Ａに吸込みグリル１４Ｂを配置し、機械室１６の吸込み口と化粧パネル１４Ａに配置した吸込みグリル１４Ｂの間に埃除去用のフィルターを配置したことで化粧パネル１４Ａの一枚扉となりシステムキッチン全体の意匠ラインを崩すことなく一体感のあるスッキリとした統一感のある意匠にすることが出来る。
【００１８】
図５は同実施の形態のシステムキッチン組み込み式冷蔵庫のフィルター前面の部分断面図であり化粧パネル１４Ａに配置した吸込みグリル１４Ｂの後方にあって、フィルター２２に当接する少なくとも一つ以上の突起を吸込みグリル１４Ｂに配置したことで化粧パネル１４Ａが開閉するたびに吸込みグリル１４Ｂの突起２６がフィルターネット部２２Ａに当りフィルターネット異形状態２２Ｂにすることで溜まった埃を除去しフィルター２２の寿命を長持ちさせ長期間フィルター２２の清掃をしなくてよい簡易メンテナンスにすることができる。
【００１９】
次に、同実施の形態の動作を説明する。吸込みグリル１４Ｂから吸込まれた空気はフィルター２２を通過し埃除去され、ペルチェ素子から出された熱を放熱器１９と熱交換し、ファンモータ２０により吸込まれ、電源制御基板を２１冷却する。放熱器１９と電源制御基板２１と熱交換した高温空気は台所空間に放出される。
【産業上の利用可能性】
【００２０】
以上のように、本発明にかかる冷蔵庫は、限られた空間を有効に活用できるのでシステムキッチンなどのビルトイン機器に適用できる。
【図面の簡単な説明】
【００２１】
【図１】本発明の実施の形態１におけるシステムキッチン組立時のシステムキッチン組み込み式冷蔵庫の斜視図
【図２】本発明の実施の形態１におけるシステムキッチン組み込み式冷蔵庫を前面に引出した時の斜視図
【図３】本発明の実施の形態１におけるシステムキッチン組み込み式冷蔵庫の機械室の斜視図
【図４】本発明の実施の形態１におけるシステムキッチン組み込み式冷蔵庫の収納部前面の分解斜視図
【図５】本発明の実施の形態１におけるシステムキッチン組み込み式冷蔵庫のフィルター前面の部分断面図
【図６】従来のシステムキッチン組み込み式保冷庫の斜視図
【符号の説明】
【００２２】
１３  システムキッチン組み込み式冷蔵庫
１４Ａ  化粧パネル
１４Ｂ  吸込みグリル
１５  収納部
１６  機械室
１７  断熱ドア
１８  冷却ユニット
１９  放熱器
２２  フィルター
２２Ａ  フィルターネット部
２６  吸込みグリルの突起
【図１】
2007040677.tif 000003
【図２】
2007040677.tif 000004
【図３】
2007040677.tif 000005
【図４】
2007040677.tif 000006
【図５】
2007040677.tif 000007
【図６】
2007040677.tif 000008